(57)【要約】      （修正有）【課題】ホルダの回転より芯の出し入れができる筆記具を提供する。【解決手段】ホルダの肩部に突起を設け、キャップ内周面に前記突起が嵌合し得る上、下のロック溝１２，１３と、これらを連通させる縦溝１４を形成する。ホルダの中に芯とこれを引っ込める方向に付勢する第１圧縮スプリングを入れ、キャップの中にホルダを離間方向に付勢する第２圧縮スプリングを入れる。キャップ１０をホルダに装着してホルダの突起５２をキャップのロック溝に嵌合させる。突起を下側のロック溝に嵌合させた時は、芯３０がホルダの先端の中に収納されて筆記不能な状態に保たれ、ホルダを回して突起を縦溝を経て上側のロック溝に嵌合させた時は、芯がキャップに押されてホルダから突出され、筆記可能な状態になる。ホルダを元の方向に回すと、第２圧縮スプリングによりホルダの突起が下側のロック溝に嵌合復帰し、筆記不能な状態に固定される。【効果】ホルダの正逆回転により芯の突出状態又は引っ込み状態が可能。実用性に富む。【選択図】図１
0003106559.tif 000002
【実用新案登録請求の範囲】
【請求項１】
ホルダの肩部に突起を設けるとともに、キャップの内周面に前記突起が嵌合し得る上、下のロック溝と、これらのロック溝を連通させる縦溝とを形成し、前記ホルダの中に芯とこれを引っ込める方向に付勢する第１圧縮スプリングを入れ、前記キャップの中に前記ホルダをその軸心に沿って離間する方向に付勢する第２圧縮スプリングを入れ、前記キャップを前記ホルダに装着して前記ホルダの突起を前記キャップのロック溝に嵌合させてなり、前記突起を前記下側のロック溝に嵌合させた時は、前記芯が前記第１圧縮スプリングの付勢力により前記ホルダの先端の中に収納されて筆記不能な状態に保たれ、前記ホルダと前記キャップを相対的に回転させて前記突起を前記縦溝を経て前記上側のロック溝に嵌合させた時は、前記芯が前記キャップに押されて前記ホルダの先端から突出されて筆記可能な状態になり、そのホルダと前記キャップの相対的回転を戻した時は、前記第２圧縮スプリングにより前記ホルダの突起が前記下側のロック溝に復帰嵌合して前記芯は再び前記第１圧縮スプリングの付勢力により前記ホルダの先端の中に収納されて筆記不能な状態になるようにしたことを特徴とする筆記具。
【請求項２】
請求項１記載の筆記用具において、ロック溝は、上下の環状ロック溝で構成され、その上下のロック溝の一端は縦溝により連通されていることを特徴とする筆記用具。
【請求項３】
請求項１記載の筆記具において、ロック溝は、互いに向き合う上下の円弧形ロック溝で構成され、その上下のロック溝の一端は縦溝により連通され、かつ、他端にフランジ溝が設けてあることを特徴とする筆記具。
【考案の詳細な説明】
【技術分野】
【０００１】
本考案は、芯がホルダの先端から突出され、又はその先端中に引っ込められるタイプの筆記具に関する。
【背景技術】
【０００２】
芯がホルダの先端から露出されて筆記（又は描写。以下、同じ。）可能な状態になり、また、芯がホルダの先端の中に引っ込められて筆記不能な状態になる筆記具には、その構造の違いいによって分けると、概括的には、次のような三種類に分けられる。つまり、キャップ（鞘）を直接にホルダ（軸）の先端（ヘッド）に着脱するキャップ着脱方式、ホルダの回転又は逆転により芯の出し入れを行う回転方式、作動片のスライド操作により芯の出し入れを行うスライド方式である。
【考案の開示】
【考案が解決しようとする課題】
【０００３】
上記の従来品には、それぞれ次のような欠点がある。すなわち、キャップ着脱方式は、筆記具の使用開始時及び使用終了時にそれぞれキャップの取り外し保管、保管したキャップの再取付けの手間がかかる。キャップ喪失のおそれもある。回転方式及びスライド方式は、構成要素がアウターロッド、キャップの外、ホルダの中に入れた部品点数も多過ぎる。それらの構成要素には、次のものがある。芯の末端に嵌められる回転用の固定ラチェット・ギア。圧縮スプリング。押圧回転用のロック・ラチェット・ギア、ロック・ラチェット・ギアを停止させるスリーブ、及びキャップの押しボタンなどが挙げられる。
【０００４】
筆記具メーカは、前掲の数多い構成要素を組み立てて筆記具を生産して来たが、その製造方法は多年に渡って採用されてきたので、生産者に困ったことを招かないが、構成要素が多過ぎるため、必然的にコストが増大する。
【０００５】
本考案は、上記事情に基づいてなされたものであり、その課題は、構成要素の数が少なく、低コストで製造でき、併せて、ホルダの回転により芯の出し入れが可能な筆記具を提供することにある。
【課題を解決するための手段】
【０００６】
上述目的を達成するために、本考案による筆記具は、請求項１に記載されているように、ホルダの肩部に突起を設けるとともに、キャップの内周面に前記突起が嵌合し得る上、下のロック溝と、これらのロック溝を連通させる縦溝とを形成し、前記ホルダの中に芯とこれを引っ込める方向に付勢する第１圧縮スプリングを入れ、前記キャップの中に前記ホルダをその軸心に沿って離間する方向に付勢する第２圧縮スプリングを入れ、前記キャップを前記ホルダに装着して前記ホルダの突起を前記キャップのロック溝に嵌合させてなり、前記突起を前記下側のロック溝に嵌合させた時は、前記芯が前記第１圧縮スプリングの付勢力により前記ホルダの先端の中に収納されて筆記不能な状態に保たれ、前記ホルダと前記キャップを相対的に回転させて前記突起を前記縦溝を経て前記上側のロック溝に嵌合させた時は、前記芯が前記キャップに押されて前記ホルダの先端から突出されて筆記可能な状態になり、そのホルダと前記キャップの相対的回転を戻した時は、前記第２圧縮スプリングにより前記ホルダの突起が前記下側のロック溝に復帰嵌合して前記芯は再び前記第１圧縮スプリングの付勢力により前記ホルダの先端の中に収納されて筆記不能な状態になるようにしたことを特徴としている。
【０００７】
前記ロック溝は、上下の環状ロック溝で構成し、その上下のロック溝の一端を縦溝により連通させた構造とすることができる。
【０００８】
前記ロック溝は、互いに向き合う上下の円弧形ロック溝で構成し、その上下のロック溝の一端を縦溝により連通し、かつ、他端にフランジ溝を設けた構造とすることもできる。
【考案の効果】
【０００９】
請求項１によれば、ホルダとキャップの一方又は双方を一定方向に回して相対的回転角度を変え、縦溝に沿ってホルダとキャップが互いに近付く方向に移動して、所定方向に回すと、芯がホルダの先端（ヘッド）から突出した状態で保持され、筆記可能な状態になり、ホルダ又はキャップを再び反対方向に回すと、ホルダとキャップが第２圧縮スプリングにより互いに離間する方向に移動されて固定され、芯はホルダのヘッドから引っ込んで、筆記不能な状態に保持される。従って、簡単な回転操作で筆記可能から筆記不能な形態に変え、又はその逆の形態に変えることができる。ホルダとキャップは終始分離することがないので、管理の手間がかからない。、
【００１０】
請求項２及び請求項３の考案によれば、ホルダとキャップの相対的回転及び軸方向移動が円滑かつ正確に行うことができる。
【００１１】
本考案者は、上述のように、既知の回転方式、押し出し方式の欠点を改善するために、多年、関連事業に携わってきた経験で、工夫したり研究したりして、ようやく、より簡素な筆記具の組み立て構造を開発した。本来、８個必要な組立て要素を単一の組立て要素まで減らすことができた。その結果、生産コストが有効に低下し、製造プロセスの効率も向上した。ホルダ及びキャップを回すだけで突起がロック溝に入って芯の収納固定・伸長固定ができる。
【考案を実施するための最良の形態】
【００１２】
本考案の目的、特徴及び効果などを一層良く理解するため、以下に、具体的な実施例について図面を参照して説明する。
図１は本考案の筆記具の一実施例の主たる構成要素及び相互関係を一部破断して示す分解斜視図、図２は同筆記具のキャップの構造を示す展開図、図３は同筆記具のホルダの構造を示す展開図、図４は同筆記具の組立て構造を示す斜視図、図５は同筆記具の筆記不能時の形態を示す要部断面図、図６は同筆記具の筆記可能時の形態を示す要部断面図である。
図７は本考案の他の実施例のキャップの構造を示す展開図、図８は同筆記具の図４と同様な斜視図である。
【００１３】
本考案の筆記具は、図１〜図４に示すように、主にキャップ１０、圧縮スプリング２０、芯３０、圧縮スプリング４０、ホルダ５０などの要素から構成される。
【００１４】
中空のホルダ５０は、その上部の中空円錐形の肩部５１の両側に外側に突出する突起５２，５２を有している。また、ホルダ５０には、肩部５１から上方に伸びる円管の上端部から肩部よりも下方に至る距離にかけて、適当な長さに渡って直線的に延びる切溝５３が設けてあり、これにより、ホルダの上部の径は外方に拡大したり、内方に圧縮したりするフレキシブル性を備えている。
【００１５】
ホルダ５０の下方へ次第に径縮する握り箇所内部には、圧縮スプリング４０が挿入されていて、芯３０をホルダ５０に入れると、芯３０が圧縮スプリング４０により上向きに押される。肩部５１の上面に、円管の外側を囲むように、もう一本の圧縮スプリング２０を嵌装されている。ホルダ５０の上方にキャップ１０を装着すると、圧縮スプリング２０が圧縮され、その下端部がホルダの肩部５１の斜面に押圧されるため、芯３０が円管により固持される。
【００１６】
キャップ１０の側面には挟持用クリップ１１が取付けてあり、キャップ１０の内周面の下部には、ホルダの両側の突起５２に合わせて、上下の環状ロック溝１２、１３が形成されている。二つロック溝は、その間に形成された連通溝、例えば、縦溝１４により連通されている。また、キャップ１０内の高さ方向中間部に停止面を有するストッパ１５が設けてある。
【００１７】
こうして、図５に示すように、ホルダ５０の上部をキャップ１０の中に挿入して、ホルダの肩部の両側の突起５２をホルダの下側のロック溝１３に嵌め込んだ時は、芯３０の上端部はストッパ１５から力を受けないので、圧縮スプリング４０により芯３０の先端がホルダ５０の下端の口の中に引っ込んだ位置に保持され、この筆記具は筆記不能の形態を保つ。
【００１８】
これに対し、例えば、キャップ１０をホルダ５０の軸心回りに左又は右方向に回して、キャップ１０とホルダ５０の軸心回りの相対角度を変え、突起５２を縦溝１４に合致させてキャップ１０を圧縮スプリング２０の力に抗してホルダ１０の先端方向に押した状態で、キャップ１０とホルダ５０の軸心回りの相対角度を元の角度に戻すと、突起５２が上側の環状ロック溝１２に嵌まり込んで保持される。この時は、芯３０がキャップ１０のストッパ１５に止められ、かつ押されるため、図６に示すように、芯３０の先端がホルダ５０の下端の口から外側に突出した状態に保持され、この筆記具は筆記可能の形態を保つ。
【００１９】
キャップ１０を再び逆方向に回すと、突起５２が縦溝１４と合致した時、圧縮スプリング２０の復帰力によりホルダ５０がキャップ１０に対してホルダの先端方向に移動されるため、図５に示す筆記不能の形態に復帰し、固定される。
【００２０】
図７及び図８は、本考案の筆記具の他の実施例を示す。この実施例では、キャップ１０の内周面に上下の環状ロック溝の代わりに、互いに向き合う上下の円弧形ロック溝１２、１３を形成し、上下のロック溝１２、１３の末端にフランジ溝１５を設けてある。これにより、フランジ溝１５と二つロック溝１２、１３はキャップの軸心を中心として対称的に配置されている。ロック溝１２、１３に関してフランジ溝１５と反対側に縦溝１４が形成されていて、上下のロック溝１２、１３が連通されている。
【００２１】
上記構成において、ホルダ５０の上端の肩部５１の両側に存在する突起５２はロック溝１２、１３に嵌合してロックされる。その結果、ホルダ５０を所定角度まで回すと、突起５２が互いに反対側にある縦溝に沿って移動可能である。突起が上側ロック溝１２まで移動された後、逆方向へ回すと、その突起５２は上側ロック溝１２の一側におけるフランジ溝に入り、固定される。そのとき、ホルダ５０の中の芯３０が圧縮スプリング２０に押されて、ホルダの先端から突出し、筆記可能な状態になる。上述と反対の操作を行うと、芯３０がホルダ５０の中に収納され、筆記不能の状態になる。
【００２２】
図５及び図６は、本考案の構造により回転操作によって伸長・短縮する最良の形態を示している。ホルダ５０の中に圧縮スプリング４０、芯３０を入れた後で、ホルダの上端の肩部５１に、もう一本のスプリング２０を嵌め、ホルダの肩部の両側における突起５２をキャップ１０の下側のロック溝１３に入れる。そのときに、ホルダの中の圧縮スプリング４０が芯を固定する。キャップ内の別のスプリング２０は、芯の末端を固定する。それにより、芯はホルダの中に収容された状態となる。つまり、図５は、回転操作前の状態を示している。図５から明らかなように、芯が保護されるので、携帯するためにチャックする必要がなく、芯のインクが着物を汚すおそれもない。
【００２３】
ホルダ５０を介して肩部５１の両側の突起５２を回すと、本来、下側のロック溝１３に位置された両側の突起５２が縦溝１４の箇所まで移動してくる。ホルダ又はキャップ１０を互いに接近する方向に押しながら、圧縮スプリング２０を押し、突起５２を上側のロック溝１２に嵌合させた後で、ホルダ５０又はキャップ１０を同時にある角度回転すると、ホルダ５０は上側のロック溝１２にロックされる。このとき、芯３０のトータル長さはホルダの長さより長いので、キャップに押されて、芯３０の先端がホルダの下端のヘッドから伸長され、書ける状態になる。すなわち、図５の回転操作のあとを示す図６に示されるように、ホルダの突起とキャップ内部の上下のロック溝との回転ロックによって、迅速かつ便利なホルダ回転方式を提供する。
【図面の簡単な説明】
【００２４】
【図１】本考案の筆記具の一実施例の主たる構成要素を一部破断して示す分解斜視図。
【図２】同筆記具のキャップの構造を示す展開図。
【図３】同筆記具のホルダの構造を示す展開図。
【図４】同筆記具の組立て構造を示す斜視図。
【図５】同筆記具の筆記不能時の形態を示す要部断面図。
【図６】同筆記具の筆記可能時の形態を示す要部断面図。
【図７】本考案の他の実施例のキャップの構造を示す展開図。
【図８】同筆記具の図４と同様な斜視図。
【符号の説明】
【００２５】
１０    キャップ
１１    クリップ
１２、１３    上下のロック溝
１５    フランジ溝
２０    圧縮スプリング
３０    芯
４０    圧縮スプリング
５０    ホルダ
５１    肩部
５２    突起
５３    切溝
【図１】
0003106559.tif 000003
【図２】
0003106559.tif 000004
【図３】
0003106559.tif 000005
【図４】
0003106559.tif 000006
【図５】
0003106559.tif 000007
【図６】
0003106559.tif 000008
【図７】
0003106559.tif 000009
【図８】
0003106559.tif 000010